(57)【特許請求の範囲】
【請求項１】
内部に棒状化粧料を繰出自在に収容する外筒とこの外筒内の棒状化粧料を繰出す繰出操作部とを備えた棒状化粧料繰出容器からなるテスター品と、このテスター品もしくはこのテスター品より大きい外径の繰出操作部を有する市販棒状化粧料繰出容器を収容し保持しうる保持体と、この保持体に取り付ける色見本とを有する棒状化粧料繰出容器の保持装置であって、上記保持体が、有天筒状の上部材と、この上部材と重なりかつ互いの側面に沿って上下方向にスライド自在に取り付けられる有底筒状の下部材とで構成されており、上記テスター品の外周に、上記上部材との着脱自在な係合のための係合用凹部または凸部の一方が形成され、上記上部材の内部に、上記テスター品の係合用凹部または凸部の一方と着脱自在に係合しうる第１の被係合用凸部または凹部の他方と、上記市販棒状化粧料繰出容器の外壁面と着脱自在に係合しうる第２の被係合用凸条とが形成され、上記下部材の底壁に、上記テスター品の挿入もしくは市販棒状化粧料繰出容器の外筒を挿し入れるための貫通孔が形成されており、上記上部材と下部材とを重ねた状態で、上記テスター品が、下部材の貫通孔から保持体内に挿入され、上記上部材の第１の被係合用凸部または凹部の他方と係合することによって、収容、保持されるようになっており、互いの側面に沿って上記上部材と下部材とを相対的にスライドさせた状態で、上記市販棒状化粧料繰出容器が、下部材の開口から保持体内に挿入され、下部材の貫通孔にその外筒を挿し入れた状態で上部材内部の第２の被係合用凸条と係合し、上記上部材と下部材とを互いの側面に沿ってスライドさせてこれらを重ねた状態とすることによって、収容、保持されるようになっていることを特徴とする棒状化粧料繰出容器の保持装置。
【請求項２】
上記保持体における下部材の少なくとも一側面が切りかかれて開口が形成されている請求項１記載の棒状化粧料繰出容器の保持装置。
【請求項３】
上記市販棒状化粧料繰出容器の繰出操作部の外周壁が、略多角筒状に形成されている請求項１または２記載の棒状化粧料繰出容器の保持装置。
【請求項４】
上記上部材に下部材を重ねた状態の保持体が、略角柱状に形成されている請求項１〜３のいずれか一項に記載の棒状化粧料繰出容器の保持装置。
【請求項５】
上記色見本が、上記保持体の上面および少なくともその正面に取り付けられている請求項１〜４のいずれか一項に記載の棒状化粧料繰出容器の保持装置。
【発明の詳細な説明】
【技術分野】
【０００１】
本発明は、口紅等の棒状化粧料の色見本を棒状化粧料繰出容器のテスター品とともに保持して、店頭等に展示する際に、色見本の色をテスター品で確認することができるようにした棒状化粧料繰出容器の保持装置に関するものである。
【背景技術】
【０００２】
従来、口紅等の色見本品を店頭等で展示する際に、図１４に示すように、上側に色見本４３を保持し下側にテスター品（試供品）４２を保持した保持体４４を多数（各色ごとに）用意し、上面に多数のテスター品挿通用穴４１が穿設された展示台４０の上記挿通用穴４１に保持体４４の下部（テスター品４２の部分）を挿通するようにして展示台４０に各保持体４４を載置し、展示台４０上に色見本４３を多数並べるようにしたものがある。この構成によれば、上記色見本４３の色を目印にして、テスター品４２を取り出して試用することにより、色見本４３の色が実際にはどのような感じの色になるかを、簡単に確認することができる。
【０００３】
このようなテスター品４２、色見本４３、保持体４４の組み合わせとして、例えば、特許文献１に示すようなものがある。このものは、図１５に示すように、内部に口紅（棒状化粧料）が保持された外筒４７と、この外筒４７の下端開口に回動自在に取り付けられた繰出操作部４８とを備えたテスター品４２と、略有天角筒状に形成された色見本４３と、有天状の四角筒体の保持体４４とで構成されている。
【０００４】
そして、上記テスター品４２は、略有天角筒状のカートリッジ４６を介して上記保持体４４の内側に圧入され、保持される。これにより、テスター品４２の繰出操作部４８と保持体４４とが連れ回りするようになり、テスター品４２の外筒４７を一方の手で持ち、保持体４４をもう一方の手で持って回動させることにより、テスター品４２の繰出口から口紅を繰出すことができる。
【０００５】
なお、テスター品４２を長期間展示すると、このテスター品４２の口紅は、試し塗りを繰り返されるために使い尽くされたり、すり減って見栄えが悪くなったりする。その場合、テスター品４２を新しいものと交換する必要があるが、テスター品４２は見本用として製作されたもので再入手が困難であるため、上記テスター品４２の代わりに、市販口紅繰出容器（市販品）４５を上記保持体４４に保持して展示することが行われている。上記市販口紅繰出容器４５は、その繰出操作部４９がテスター品４２より大径に形成されているため、上記カートリッジ４６を外した状態で、直接、上記保持体４４の内側に圧入され、保持される。これにより、市販口紅繰出容器４５の繰出操作部４９と保持体４４とが連れ回りするようになり、市販口紅繰出容器４５の外筒５０を一方の手で持ち、保持体４４をもう一方の手で持って回動させることにより、市販口紅繰出容器４５の繰出口から口紅を繰出すことができる。
【０００６】
このように、市販口紅繰出容器４５を直接挿し込んで、保持体４４に圧接的に保持させると、別途展示用のカートリッジ４６を用意する必要がなくなり、便利であるものの、その反面、挿し込み不足や、展示棚の照明等から過度の熱を受け続けて保持体４４が変形すると、市販口紅繰出容器４５が保持体４４から抜け落ちるという問題が生じる可能性がある。また、同様に、テスター品４２を保持させた場合も、これがカートリッジ４６から抜け落ちるという問題が生じる可能性がある。そして、テスター品４２を保持体４４に保持するために展示専用のカートリッジ４６を用意することは、この展示専用のカートリッジ４６を保管するという作業が増えるとともに、その取付け作業が煩雑となるため、さらに改良が求められている。
【先行技術文献】
【特許文献】
【０００７】
【特許文献１】特開２０００−１６６６４５号公報
【発明の概要】
【発明が解決しようとする課題】
【０００８】
本発明は、このような事情に鑑みなされたもので、テスター品および市販棒状化粧料繰出容器のいずれも展示専用のカートリッジを不要とし、しかも展示時の衝撃を受けても、テスター品および市販棒状化粧料繰出容器を確実に保持することのできる棒状化粧料繰出容器の保持装置の提供をその目的とする。
【課題を解決するための手段】
【０００９】
上記目的を達成するため、本発明の棒状化粧料繰出容器の保持装置は、内部に棒状化粧料を繰出自在に収容する外筒とこの外筒内の棒状化粧料を繰出す繰出操作部とを備えた棒状化粧料繰出容器からなるテスター品と、このテスター品もしくはこのテスター品より大きい外径の繰出操作部を有する市販棒状化粧料繰出容器を収容し保持しうる保持体と、この保持体に取り付ける色見本とを有する棒状化粧料繰出容器の保持装置であって、上記保持体が、有天筒状の上部材と、この上部材と重なりかつ互いの側面に沿って上下方向にスライド自在に取り付けられる有底筒状の下部材とで構成されており、上記テスター品の外周に、上記上部材との着脱自在な係合のための係合用凹部または凸部の一方が形成され、上記上部材の内部に、上記テスター品の係合用凹部または凸部の一方と着脱自在に係合しうる第１の被係合用凸部または凹部の他方と、上記市販棒状化粧料繰出容器の外壁面と着脱自在に係合しうる第２の被係合用凸条とが形成され、上記下部材の底壁に、上記テスター品の挿入もしくは市販棒状化粧料繰出容器の外筒を挿し入れるための貫通孔が形成されており、上記上部材と下部材とを重ねた状態で、上記テスター品が、下部材の貫通孔から保持体内に挿入され、上記上部材の第１の被係合用凸部または凹部の他方と係合することによって、収容、保持されるようになっており、互いの側面に沿って上記上部材と下部材とを相対的にスライドさせた状態で、上記市販棒状化粧料繰出容器が、下部材の開口から保持体内に挿入され、下部材の貫通孔にその外筒を挿し入れた状態で上部材内部の第２の被係合用凸条と係合し、上記上部材と下部材とを互いの側面に沿ってスライドさせてこれらを重ねた状態とすることによって、収容、保持されるようになっていることをその要旨とする。
【００１０】
すなわち、本発明者らは、テスター品のための展示専用のカートリッジが不要で、しかもテスター品および市販棒状化粧料繰出容器を確実に保持することのできる棒状化粧料繰出容器の保持装置を得るため研究を重ねた。その結果、上記テスター品の外周にこのテスター品を保持する保持体と着脱自在な係合のための係合用凹部または凸部の一方を形成し、上記保持体の内部に上記テスター品の係合用凹部または凸部の一方と着脱自在に係合しうる第１の被係合用凸部または凹部の他方を形成するとともに、上記保持体の底壁にテスター品を挿入するための貫通孔を形成し、上記テスター品を上記保持体の貫通孔から内部に挿入し、テスター品の係合用部と上記第１の被係合用部とを係合させると、展示専用のカートリッジを用いることなく、テスター品を保持体に確実に収容、保持できることを見い出した。そして、さらに研究を重ねた結果、上記保持体を、有天筒状の上部材と、この上部材と重なり互いの側面に沿って上下方向にスライド自在に取り付けられる下部材の二部材で構成し、上記上部材の内部に上記市販棒状化粧料繰出容器の外壁面と着脱自在に係合しうる第２の被係合用凸条を形成し、互いの側面に沿って上部材と下部材とを相対的にスライドさせた状態で、上記市販棒状化粧料繰出容器を下部材の開口から上記保持体内に挿入し、下部材の貫通孔にその外筒を挿し入れた状態で上部材と下部材とをスライドさせて互いに重なる状態に戻し、上記市販棒状化粧料繰出容器の外壁面と上部材内部の第２の被係合用凸条とを係合させると、これを確実に収容、保持できることを見い出し、本発明に想到した。
【発明の効果】
【００１１】
このように、本発明の棒状化粧料繰出容器の保持装置は、テスター品と、このテスター品もしくはこのテスター品より大きい外径の繰出操作部を有する市販棒状化粧料繰出容器を収容し保持しうる保持体と、この保持体に取り付ける色見本とを有している。そして、上記保持体が、有天筒状の上部材と、この上部材と重なりかつ互いの側面に沿って上下方向にスライド自在に取り付けられる有底筒状の下部材とで構成されており、上記テスター品の外周に、上記上部材との着脱自在な係合のための係合用凹部または凸部の一方が形成され、上記上部材の内部に、上記テスター品の係合用凹部または凸部の一方と着脱自在に係合しうる第１の被係合用凸部または凹部の他方が形成され、上記下部材の底壁に、上記テスター品の挿入もしくは市販棒状化粧料繰出容器の外筒を挿し入れるための貫通孔が形成されているため、上記上部材と下部材とを重ねた状態で、上記テスター品を、下部材の貫通孔から保持体内に挿入し、上記上部材の第１の被係合部と係合することによって、これを展示用カートリッジを用いることなく、直接、保持体内に収容、保持できるようになっている。また、上記上部材の内部に、上記市販棒状化粧料繰出容器の外壁面と着脱自在に係合しうる第２の被係合用凸条が形成されているため、互いの側面に沿って上部材と下部材とを相対的にスライドさせた状態で、市販棒状化粧料繰出容器を下部材の開口から保持体内に挿入し、上記上部材と下部材とを重ねた状態に戻すことにより、上部材内部の第２の被係合用凸条に市販棒状化粧料繰出容器の繰出操作部の外壁面が係合し、これを展示用カートリッジを用いることなく、直接保持体内に収容、保持できるようになっている。
【００１２】
そして、上記保持体における下部材の少なくとも一側面が切りかかれて開口が形成されている場合には、上部材と下部材とを少しスライドするだけで、上記開口から市販棒状化粧料繰出容器を保持体内に収容、保持できるため、使い勝手がよくなる。
【００１３】
また、上記市販棒状化粧料繰出容器の繰出操作部の外周壁が、略多角筒状に形成されている場合には、上部材の内部の第２の被係合用部に市販棒状化粧料繰出容器の繰出操作部の外壁面をより確実に係合させることができる。
【００１４】
さらに、上記上部材に下部材を重ねた状態の保持体が、略角柱体状に形成されている場合には、上部材と下部材とを上下方向にスライド自在に形成することが容易であり、また、展示台から取り出し平置きした際に、転がり落ちることがないため、好適である。
【００１５】
そして、上記色見本が、上記保持体２の上面および少なくともその正面に取り付けられている場合には、より少ないスペースにこれらを載置できるとともに、色見本の表面積が大きくなり、その色を大いにアピールすることができる。
【図面の簡単な説明】
【００１６】
【図１】本発明の一実施の形態の棒状化粧料繰出容器の保持装置の説明図である。
【図２】テスター品を示す説明図である。
【図３】上記棒状化粧料繰出容器の保持装置の保持体を示す説明図である。
【図４】上記保持装置の分解斜視図である。
【図５】上記保持体の上部材を示す説明図である。
【図６】上記上部材の平面図である。
【図７】上記保持体の下部材を示す説明図である。
【図８】上記下部材の平面図である。
【図９】（ａ），（ｂ）はいずれも上記棒状化粧料繰出容器の保持装置でテスター品を保持する状態を示す説明図である。
【図１０】上記棒状化粧料繰出容器の保持装置にテスター品が保持された状態を示す断面図である。
【図１１】市販棒状化粧料繰出容器を示す説明図である。
【図１２】（ａ），（ｂ）はいずれも上記棒状化粧料繰出容器の保持装置で市販棒状化粧料繰出容器を保持する状態を示す説明図である。
【図１３】上記棒状化粧料繰出容器の保持装置に市販棒状化粧料繰出容器が保持された状態を示す断面図である。
【図１４】従来例の展示状態を示す説明図である。
【図１５】従来例を示す分解斜視図である。
【発明を実施するための形態】
【００１７】
つぎに、本発明の実施の形態を図面に基づいて詳しく説明する。
【００１８】
図１は、本発明の一実施の形態である棒状化粧料繰出容器の説明図である。この実施の形態では、棒状化粧料繰出容器の保持装置は、口紅（棒状化粧料）が収容された口紅繰出容器を下向きに保持するためのもので、上記口紅繰出容器からなるテスター品１と、このテスター品１を下向きに保持する保持体２と、この保持体２の上面および正面に取り付けられる色見本６（６’）とからなっている。なお、色見本６（６’）は、透明な保護部材１５（１５’）によって保護されている（図４参照）。
【００１９】
上記テスター品１は、図２に示すように、円筒状の繰出操作部１６と、この繰出操作部１６の下部の周壁面を繰出操作部１６の回動操作に対して摺動可能に覆う外筒１７を有している。そして、上記繰出操作部１６を回転させると、繰出口１８から口紅が繰出されるようになっている。また、上記外筒１７の上部には、周方向に係合用凹部１９が形成されている。そして、上記繰出操作部１６には、回動操作時の滑り止めのために、複数の凸条１６ａが周方向に垂直に形成されている。
【００２０】
テスター品１を保持する上記保持体２は、図３に示すように、有天筒状の上部材４と、有底筒状の下部材３とで構成され、これらが互いに重ね合わされて一体化した略四角柱状になっている。そして、図４に示すように、上部材４と下部材３とを上下方向に互いにスライドさせることにより、これらを開くことができるようになっている。また、下部材３の底壁には、上記テスター品１を挿入するための貫通孔７（図３参照）が形成されている。
【００２１】
上記保持体２をより詳しく説明すると、上記上部材４は、合成樹脂製で略有天角筒状をしており、その天井壁２７には、図４に示すような切欠２２が設けられている。そして、その内側の中間部には、図５および図６に示すように、相対向する二側壁に、それぞれ中心側に向かって部分的に円筒壁を構成するよう突出する突出部２４が形成されている。この各突出部２４の左右両側には切欠２３が設けられており、これら切欠２３に挟まれた部分である第１の被係合用凸部１０に、可撓性が付与されている。これにより、上記第１の被係合用凸部１０は、上記テスター品１の係合用凹部１９に着脱自在に係合できるようになっている。さらに、上記突出部２４の左右両端には、上記テスター品１の当たり止めとして、上下に延びる凸条１１が形成されている。
【００２２】
また、上記上部材４の相対向する二側壁には、図５および図６に示すように、その左右両端に上下に延びる凸条８と、同じく上下に延びる第２の被係合用凸条９が形成されている。そして、上記突出部２４が形成されていない残りの二側壁には、その下端に切欠１２がそれぞれ設けられている。
【００２３】
一方、上記下部材３は、図７および図８に示すように、上部材４と同じく合成樹脂製で、底壁２５およびこれから立ち上がる一対の相対向する側壁１３からなり、底壁２５の中央部分に上記テスター品１の径とほぼ同径の貫通孔７が設けられている。また、各側壁１３の左右両端部分には、上記上部材４の凸条８と第２の被係合用凸条９との間に形成されるスライド用凹条２６に、スライド自在に係合するスライド用凸条１４が形成されている。
【００２４】
そして、上記上部材４と下部材３とを組み立てるには、図４に示すように、上記上部材４のスライド用凹条２６と上記下部材３のスライド用凸条１４とをスライド自在に係合させ、上部材４と下部材３とを重ね合わせることにより、上記保持体２を形成する。また、上記上部材４の天井壁２７に、上記口紅と同色の色見本６’と透明な保護部材１５’とをこの順に重ね合わせるとともに、上記上部材４の一側壁に色見本６と透明な保護部材１５とをこの順に重ね合わせることにより、上記保持体２に色見本６（６’）を取り付けることができる。
【００２５】
上記構成において、テスター品１を保持する場合には、図９（ａ）に示すように、上記色見本６（６’）と同色の口紅（図示せず）が保持されたテスター品１を、テスター品１の繰出操作部１６の上端面が上記保持体２の上部材４内の凸条１１（図５、図６参照）に当接するまで、上記保持体２の貫通孔７から挿入する。すると、図９（ｂ）およびこの断面図である図１０に示すように、上記テスター品１の外筒１７上部に設けられた係合用凹部１９が、上記保持体２の上部材４内の第１の被係合用凸部１０に着脱自在に係合するとともに、上記テスター品１の繰出操作部１６に設けられた凸条１６ａが上記保持体２の上部材４の内壁面を圧接する。これらの係合および圧接により、上記テスター品１は保持体２に確実に保持される。これにより、保持体２とテスター品１の繰出操作部１６とが連れ回りするようになり、テスター品１の外筒１７を一方の手で持ち、保持体２をもう一方の手で持って回動させると、テスター品１の繰出口１８から口紅を繰出すことができる。そして、上記テスター品１の保持体２から突出した部分を、図１４に示す展示台４０の挿通用穴４１に挿通し、口紅繰出容器の保持装置を載置して並べ、展示する。
【００２６】
そして、テスター品１の口紅が使い尽くされたり、すり減って見栄えが悪くなる等すると、上記テスター品１を保持体２から外し、市販の商品を保持体２に保持させて展示することができる。
【００２７】
上記テスター品１と交換される市販の商品として、例えば、図１１に示すように、市販口紅繰出容器５と、その上部に嵌合するキャップ２０からなるものがあげられる。この市販口紅繰出容器５は、テスター品１と同じ形状品１’と、この形状品１’を挿入し着脱不能に保持する繰出操作部２１とからなっている。なお、上記形状品１’は、テスター品１と同様の構成をしており、上記繰出操作部２１の回動操作に対して摺動可能に覆う外筒１７’と、口紅が繰出る繰出口１８’を有している。
【００２８】
上記テスター品１に代えて、上記市販口紅繰出容器５を保持体２に保持させて展示する場合には、まず、テスター品１を指で狭持して上記保持体２から抜き取り、ついで、上記市販口紅繰出容器５からキャップ２０を外す。そして、図１２（ａ）に示すように、上記保持体２の上部材４と下部材３とを互いに上下方向にスライドさせ、上下にずらした状態にする。この状態において、上記下部材３側面に現れた開口２８部分から上記市販口紅繰出容器５を、その繰出口１８’を下向きにして上記保持体２内に入れ、下部材３の貫通孔７に、繰出操作部２１から突出している形状品１’部分を上から挿し込むようにする。その後、上記上部材４と下部材３とを互いに元の状態（上部材４と下部材３とが重なった状態）となるようにスライドさせることにより、市販口紅繰出容器５を保持体２に保持することができる。
【００２９】
このとき、図１２（ｂ）およびこの断面図である図１３に示すように、市販口紅繰出容器５の繰出操作部２１の上端面は、上記保持体２の上部材４内部の第１の被係合用凸部１０の下端面に当接するとともに、繰出操作部２１の上側部分は、図６の一点鎖線２１’で示すように、上記保持体２の上部材４内部の第２の被係合用凸条９および内周壁に圧接している。また、市販口紅繰出容器５の繰出操作部２１の下端面は、上記保持体２の下部材３の底壁２５に当接している。これらの当接および圧接により、市販口紅繰出容器５は保持体２に確実に保持される。これにより、保持体２と市販口紅繰出容器５の繰出操作部２１とが連れ回りするようになり、市販口紅繰出容器５から突出している形状品１’の外筒１７’を一方の手で持ち、保持体２をもう一方の手で持って回動させると、市販口紅繰出容器５の繰出口１８’から口紅を繰出すことができる。
【００３０】
上記の実施の形態によれば、上記テスター品１の外周に、上記上部材４と着脱自在な係合のための係合用凹部１９が形成され、上記保持体２における上部材４の内部に、上記テスター品１の係合用凹部１９と着脱自在に係合しうる第１の被係合用凸部１０が形成され、上記下部材３の底壁２５に、上記テスター品１を挿入するための貫通孔７が形成されているため、上記上部材４と下部材３とを重ねた状態で、上記テスター品１を、下部材３の貫通孔７から保持体２内に挿入し、上記上部材４の第１の被係合用凸部１０と係合することによって、直接、保持体２内に収容、保持できるようになっている。したがって、従来必要であったテスター品のための展示専用カートリッジが不要となる。また、上記保持体２が有天筒状の上部材４と、この上部材４と重なりかつ互いの側面に沿って上下方向にスライド自在に取り付けられる有底筒状の下部材３とで構成されており、上記上部材４の内部に、上記テスター品１より大きい外径の繰出操作部２１を有する市販口紅繰出容器５の外壁面と着脱自在に係合しうる第２の被係合用凸条９が形成されているため、互いの側面に沿って上部材４と下部材３とを相対的にスライドさせた状態で、上記市販口紅繰出容器５を下部材３の開口２８から保持体２内に挿入し、上記上部材４と下部材３とを重ねた状態に戻すことにより、上記上部材４内部の第２の被係合用凸条９に上記市販口紅繰出容器５の繰出操作部２１の外壁面が係合するとともに、繰出操作部２１の下端面が上記下部材３の底壁２５に当接することによって、確実に保持体２内に収容、保持できるようになっている。
【００３１】
また、保持体２の下部材３が、略正方形の底壁２５およびこれから立ち上がる一対の側壁１３からなり、もう一対の側壁となるべき部分が開口に形成されている。したがって、上部材４と下部材３とを少しスライドさせてずらすだけで、上記下部材３の開口が開き、その開口から市販口紅繰出容器５を保持体２内に収容、保持できるため、使い勝手がよい。
【００３２】
また、上記市販口紅繰出容器５の繰出操作部２１の外周壁が、略十二角筒状に形成されているため、上部材４の内部の第２の被係合用凸条９に市販口紅繰出容器５の繰出操作部２１の外壁面をより確実に係合させることができ、上記保持体２と市販口紅繰出容器５の繰出操作部２１とをより確実に連れ回りさせることができる。
【００３３】
さらに、上記上部材４に下部材３を重ねた状態の保持体２が、略四角柱状に形成されているため、上部材４と下部材３とを上下方向にスライド自在に形成することが容易であり、また、展示台から取り出し平置きした際に、転がり落ちることがなく、好適である。
【００３４】
そして、上記色見本６（６’）が、上記上部材４の天井壁２７およびその正面に取り付けられているため、より少ないスペースに複数の保持体２を並べても、その正面および上面から色見本６（６’）の色を見ることができる。したがって、視認される色見本６（６’）の表面積が大きくなり、その色を大いにアピールすることができる。
【００３５】
なお、上記実施の形態では、棒状化粧料として口紅を用いたが、その他にもアイシャドウ、チーク等の他の棒状化粧料を用いてもよい。
【００３６】
また、上記の実施の形態では、上部材４および下部材３を合成樹脂からなるものとしたが、他の材質を用いて形成するようにしてもよい。
【００３７】
そして、上記の実施の形態では、下部材３の一対の側壁が形成されておらずそれらの部分がそれぞれ開口になっているが、一側壁に相当する部分のみを開口にしてもよいし、全ての側壁が形成され側壁部分に開口が全く形成されないようにしてもよい。全ての側壁が形成され側壁部分に開口が形成されない場合には、上部材４と下部材３とを完全に分離するまでスライドし、分離後の下部材３の天井開口部から市販口紅繰出容器５を保持体２内に収容、保持するようにすればよい。
【００３８】
また、上記実施の形態では、市販口紅繰出容器５の繰出操作部２１の外周壁が、略十二角筒状に形成されているが、その他にも、略四角筒、略六角筒、略八角筒等の様々な多角筒状に形成することができる。なお、上記繰出操作部２１の外周壁は必ずしも略多角筒状であることを必要とせず、デザイン等の観点からは略円筒状であってもよい。しかし、保持体２とより確実に連れ回りさせることができる点では、略多角筒状であることが好ましい。
【００３９】
さらに、上記実施の形態では、上部材４と下部材３とを重ねた状態の保持体２が、略四角柱状に形成されているが、その他にも、略六角柱、略八角柱、略円柱等の様々な柱状に形成することができる。これらのデザインはその化粧料が有するイメージに合わせて自由に選択される。
【００４０】
そして、上記実施の形態では、色見本６（６’）が、上部材４の天井壁２７およびその正面壁の二箇所に取り付けられているが、必ずしも両方に取り付けなくてもよく、いずれか一方であってもよい。また、保持体２の側面の全てに取り付けるようにしてもよい。この場合、どの角度から見てもはっきりと分かるため、その色をさらにアピールすることができる。また、色見本６（６’）の色の耐久性が高い場合には、必ずしも保護部材１５（１５’）は用いなくてもよい。なお、色見本６（６’）を、２色成形により得るようにすると、耐久性が高まるとともに、高級感のある仕上がりとなるため好ましい。
【００４１】
また、上記実施の形態では、テスター品１の外周に設けられる係合用部を凹状に形成し、上部材４の内部に設けられる第１および第２の被係合用部をそれぞれ凸状に形成したが、テスター品１の外周に設けられる係合用部を凸状に形成し、上部材４の内部に設けられる第１および第２の被係合用部をそれぞれ凹状に形成しても同様の作用、効果が得られる。
【産業上の利用可能性】
【００４２】
本発明の棒状化粧料繰出容器の保持装置は、口紅等の棒状化粧料の色見本を棒状化粧料繰出容器のテスター品とともに保持して、店頭等に展示するのに好適に利用できる。
【符号の説明】
【００４３】
１    テスター品
２    保持体
５    市販口紅繰出容器
６、６’    色見本
【図１】
0005856771.tif 000002
【図２】
0005856771.tif 000003
【図３】
0005856771.tif 000004
【図４】
0005856771.tif 000005
【図５】
0005856771.tif 000006
【図６】
0005856771.tif 000007
【図７】
0005856771.tif 000008
【図８】
0005856771.tif 000009
【図９】
0005856771.tif 000010
【図１０】
0005856771.tif 000011
【図１１】
0005856771.tif 000012
【図１２】
0005856771.tif 000013
【図１３】
0005856771.tif 000014
【図１４】
0005856771.tif 000015
【図１５】
0005856771.tif 000016